(57)【要約】【課題】フィルム状鏡等のフィルムを、枠に平滑に固定することを目的とするもので、狭い幅の枠によって固定する場合であっても、しっかりと張って固定することができる固定構造を提供する。【解決手段】一対の部材からなり、その間にフィルムを挟み込んで固定する枠を用い、フィルムを外周から先に押さえ、その後押さえる力を維持しながら、内周の突出部分にフィルムを押し当てることで、フィルムに張力をかけるようにして固定したこと特徴とする。【選択図】  図１
2014222318.tif 000002
【特許請求の範囲】
【請求項１】
一対の部材からなり、その間にフィルムを挟み込んで固定する枠を用い、フィルムを外周から先に押さえ、その後押さえる力を維持しながら、内周の突出部分にフィルムを押し当てることで、フィルムに張力をかけるようにして固定したことを特徴とするフィルム状鏡等のフィルム固定構造。
【請求項２】
前記部材の一方が、フィルム固定過程で外力によりせん断変形し、外周部と内周部とに分かれることを特徴とする請求項１に記載したフィルム状鏡等のフィルム固定構造。
【請求項３】
前記部材の一方の部材のフィルム側接触面が、内周方向に向かって開いていく断面をもち、フィルム固定過程で開いている断面が外力により回転することを特徴とする請求項１に記載したフィルム状鏡等のフィルム固定構造。
【請求項４】
前記フィルムの外周を押さえる部材として、弾力性のある介在物を一対の部材の間に用いることを特徴とする請求項１に記載したフィルム状鏡等のフィルム固定構造。
【発明の詳細な説明】
【技術分野】
【０００１】
この発明は、フィルム状鏡等のフィルムを枠に固定する固定構造に関するものである。
【背景技術】
【０００２】
フィルム状鏡は、薄いＰＥＴフィルムにアルミや銀を蒸着して鏡として使用するもので、従来のガラス製鏡に比べて、軽く、割れて危険を及ぼすことがないため、スタジオ等で使う大面積のものから、コンパクトな鏡まで利用されるようになってきている。しかしながら、フィルムを用いているため、周囲を引っ張りながらしっかりと枠に固定しないと、細かい皺が残ったりして鏡として機能しないこととなる。
【０００３】
上記のフィルム状鏡をしっかりと固定する枠は、大面積の鏡の場合は取付け部分にスペースを十分とることができ、枠幅とフィルム固定に余裕があり問題は少ない。しかし、例えば特許文献１に示すように、コンパクトな小さな鏡では、枠の幅をできるだけ狭くすることが望まれるため、工夫を凝らす必要がある。
【０００４】
フィルム状の材料を固定する構造としては、波型断面を有する一対の金属リングで波型面にフィルム或いは布などを挟み込み、ネジで金属リングを締め込むことでフィルムや布をしっかりと張る方式のものが知られている。
この方式を利用したものとして、本発明者も特許文献１に示すような、凹凸のある一対の固定リングにフィルムを挟み込む構造を提案している。これは、波型面を持つものより枠を狭くすることができる。しかしながら、フィルムに十分な張力がかけられない点があった。
【先行技術文献】
【特許文献】
【０００５】
【特許文献１】特開２０１１−１４５４９６号公報
【発明の概要】
【発明が解決しようとする課題】
【０００６】
本発明は、上記の状況に鑑み、フィルム状鏡等のフィルムを、狭い幅の枠によって固定する場合であっても、十分な張力がかかり、しっかりと張って固定することができる固定構造を提供しようとするものである。
【課題を解決するための手段】
【０００７】
すなわち本発明の要旨とするところは、一対の部材からなり、その間にフィルムを挟み込んで固定する枠を用い、フィルムを外周から先に押さえ、その後押さえる力を維持しながら、内周の突出部分にフィルムを押し当てることで、フィルムに張力をかけるようにして固定したことを特徴とするフィルム状鏡等のフィルム固定構造にある。
また本発明は前記部材の一方が、フィルム固定過程で外力によりせん断変形し、外周部と内周部とに分かれることを特徴とする請求項１に記載したフィルム状鏡等のフィルム固定構造を要旨とするものである。
さらに本発明は、前記部材の一方の部材のフィルム側接触面が、内周方向に向かって開いていく断面をもち、フィルム固定過程で開いている断面が外力により回転することを特徴とする請求項１に記載したフィルム状鏡等のフィルム固定構造を要旨とするものである。
さらにまた本発明は、前記フィルムの外周を押さえる部材として、弾力性のある介在物を一対の部材の間に用いることを特徴とする請求項１に記載のフィルム状鏡等のフィルム固定構造も要旨とするものである。
【発明の効果】
【０００８】
本発明は、上述した構成からなるものであるから、フィルム状鏡等のフィルムを枠に対して周縁部をしっかりと、しかも細かい皺などの残らない高い平滑状態で枠に固定できる利点を有している。
また本発明は、使用するフィルム押さえ部材の外周部と内周とを固定の過程でせん断変形し、外周部と内周部とに分れるようにして一層確実に固定することができることを特徴とし、さらに本発明はフィルム押さえ部材としてその一方の接触面が、内周方向に向かって開いていく断面を有したものを用いることで、フィルム押さえ部材を簡略化して優れたフィルム固定構造を提供することができる利点を有している。
さらにまた本発明は、外周を押さえる部材として弾力性のある介在物を一対の部材の間に用いることにより、気密性を向上させる等使用目的に応じた対応を選ぶことができる利点がある。
【図面の簡単な説明】
【０００９】
【図１】図１は、本発明の一実施例を示すもので、フィルム状鏡が枠に固定されている個所の部分的断面図である。
【図２】図２は、図１に示す固定状態になる前で、押さえる力を加えてないときの部分的断面図である。
【図３】図３は、図２の状態から固定する第一の段階を示す部分的断面図である。
【図４】図４は、本発明に用いる一方のフィルム押さえ部材の断面を示す部分的な斜視図である。
【図５】図５は、本発明に用いる締め付けリングの断面を示す部分的な斜視図である。
【図６】図６は、本発明の別の実施例を示す図２と同様な部分的断面図である。
【図７】図７は、本発明のさらに別の実施例を示す図２と同様な部分的断面図である。
【発明を実施するための形態】
【００１０】
以下、本発明の実施形態を実施例の図面に基づいて説明するが、この例では円形のフィルム状鏡が枠に固定されている状態を示している。
図において１は鏡基板で、円形であり周縁全周に亘って凹溝１ａが設けられている。図中３はステップ状のフィルムフィルム押さえ部材で、リング状をなし締め付けリング４に接する面がステップ状になっていて、合成樹脂で造られている。
【００１１】
上記のフィルムフィルム押さえ部材３は、図４に示すように押さえる前は一体であるが、外力が加わると外周部３‘と内周部３“とに破断線３ａで全周に亘り分離されるようになっている。そして外周部３‘と内周部３“のそれぞれに突起３’ａと３”ａが、全周に亘り設けられている。
【００１２】
フィルム鏡２は、鏡基板１の外径と同じ寸法で裁断されたものを用い、鏡基板１とフィルム押さえ部材３との間挟みこまれ固定されている。この際フィルム鏡２を減圧又は加圧して、凹面や凸面に変化させ、凹面鏡或いは凸面鏡として使用する場合には、フィルム鏡２と鏡基板１、あるいはフィルム鏡２とフィルム押さえ部材３との間に接着材を介在させて密閉固着しておくことが好ましい。
【００１３】
図５に示す締め付けリング４は、金属製のプレス加工等により全周に亘り断面略コの字型に成形されており、フィルム鏡２の縮もうとする力を受け止め、全周に亘り多数設けられた締め付けリング４用の爪４‘が折り曲げられて、フィルム鏡２を挟んだ鏡基板１とフィルム押さえ部材３とをしっかり押さえている。
【００１４】
図２及び図３は、図１に示す本発明の固定構造を達成する前の過程を示しているが、プレス機械に取り付けるため、図１とは上下逆に表している。
まずプレス機械の凹溝を持ったテーブル受け５に締め付けリング４がセットされてコの字状の部分にステップ状のフィルムフィルム押さえ部材３がセットされる。そして鏡基板１に接着されたフィルム鏡２が置かれ、その上からプレス機械のプランジャー６により下方向に全体が押し付けられる。
【００１５】
図３は固定構造の第一段階を示しており、フィルム押さえ部材３の外周部３‘と突起３ａ'が鏡基板１の凹部１ａが噛み合い、間にあるフィルム鏡２の外周部が半径方向に引っ張られながら固定される
第二段階では、さらにプランジャー６が押込まれると、ステップ上のフィルム押さえ部材３は、破断線３ａの部分の肉厚が他の部分より薄いため（図４参照）、全周に亘りせん断破壊を起こし外周部３’と内周分３“とに二分される。そして外周部３'は、フィルム鏡２の外周を押さえ続け、内周部３”は下に移動してフィルム鏡２を突起３“ａがさらに押して張力をかける。ステップ状のフィルム押さえ部材３の締め付けリング４に接するステップ面が面一になるまでプランジャー６が押込まれる。この状態で締め付けリング４の爪４'を内側に折り曲げて固定する。これにより図１に示す固定構造にすることができる。なおプランジャーの窪み６‘は、締め付けリング４の爪４'を避けるために設けている。
このようにフィルム鏡２を、外周部分でまず固定し次にその内側に突起を押し付けて張力をかけ皺の発生を減少させているので、枠の幅が狭くてもしっかりと綺麗に張ることができる。
【００１６】
図４は、ステップ状のフィルム押さえ部材３の斜視図で、上述したように破断線３ａの部分に沿って、ミシン目のように窪み３ｂが多数設けられているので、より小さい力でせん断破壊し易いようにしている。
また図５は、締め付けリング４の断面を示す斜視図となっている。
【００１７】
図６は、本発明の別の実施例を示したものである。前記の実施例と同様に鏡基板１とフィルムフィルム押さえ部材３でフィルム鏡２を挟み、全体を締め付けリング４で締め付けて固定するものであるが、フィルムフィルム押さえ部材７の断面７ｃが少し傾いていることを特徴としている。
【００１８】
すなわち傾斜したフィルムフィルム押さえ部材７は、外周側の突起７ａと内周側の突起７ｂとを備えていて、鏡基板１に対して傾斜した断面７ｃになっている。これを前記例と同様にしてプランジャー６で力をかけると、まず外周側の突起７ａがフィルム鏡２を凹溝１ａとの間に挟み込込んで固定し、傾きが水平になると共に内周側の突起７ｂがフィルム鏡２に当たり張力をかけていく方式の固定構造となっている。
そしてこの例の場合も、この状態で締め付けリング４の爪４’を折り曲げて固定する。
【００１９】
図７は本発明のさらに別の例、すなわち外周を押さえる部材として弾力性のある介在物を用いるときの例を示すもので、この場合のフィルムフィルム押さえ部材８は内側の突起８ａしかもたない構成となっている。すなわち外周側の突起の代わりにＯリング９を用い、初めにＯリング９がフィルム鏡２と接し鏡基板１とでこれを固定する。ついで力が加わるとＯリング９は変形し、フィルム鏡２がより強く固定されると共に内側に設けられた突起８ａがフィルム鏡２を押し張力をかける構造となっている。
この例の場合も、この状態で締め付けリング４の爪４’を折り曲げて固定する
なお上記の介在物としては適度の弾力性を有す材料であればＯリングに限られるものではなく、合成樹脂やゴムの部材を用いることができる。
【００２０】
以上本発明の実施例は円形鏡に適用することで説明したが、本発明はこのような円形鏡に限定されるものではなく、楕円形状あるいは矩形状の鏡に適用することも可能である。
【００２１】
また上記実施例では、フィルム状鏡の例に基づき説明したが、本発明の固定構造は、一般のフィルムやフィルムと同等の厚さの薄い布帛の固定のみ適用できるものである。
【符号の説明】
【００２２】
１          鏡基板      
１ａ        凹溝
２          フィルム鏡  
３、７，８  フィルム押さえ部材
３ａ        破断線
４          締め付けリング
５          テーブル受け    
６          プランジャー
９          Ｏリング
【図１】
2014222318.tif 000003
【図２】
2014222318.tif 000004
【図３】
2014222318.tif 000005
【図４】
2014222318.tif 000006
【図５】
2014222318.tif 000007
【図６】
2014222318.tif 000008
【図７】
2014222318.tif 000009